(57)【要約】【課題】過去の反響波情報と自船位置との対応付けが容易な魚群探知機を提供する。【解決手段】測定情報指定手段２６によって指定された時点の反響波情報が、反響波表示用ウインドウ２８内の予め規定された基準ライン上に位置するように制御するとともに、測定情報指定手段２６によって指定された前記反響波情報を測定した自船位置が、航跡表示用ウインドウ２７に表示する航跡画像２９において、航跡表示用ウインドウ２７内の予め規定された原点に位置するように制御するようにした。【選択図】図２
2008224501.tif 000002
【特許請求の範囲】
【請求項１】
表示画面を備えた画像表示器と、
測定した反響波情報と自船位置情報とを、測定時刻と関連付けて記憶する測定情報記憶手段と、
地図情報を記憶する地図情報記憶手段と、
前記地図情報記憶手段に記憶された地図情報と、前記測定情報記憶手段に記憶された自船位置情報とに基づいて、地図上に航跡を示すための画像データを作成し、該画像データに基づく航跡画像を前記表示画面の航跡表示用ウインドウに表示するよう制御するとともに、測定情報記憶手段に記憶された反響波情報を測定順に並べて示すための画像データを生成し、該画像データに基づく反響波画像を前記表示画面の反響波表示用ウインドウに表示するよう制御する画像表示制御手段と、
前記測定情報記憶手段に記憶された一時点の反響波情報を指定するための測定情報指定手段と
を備えてなり、
前記表示制御手段は、
前記測定情報指定手段によって指定された時点の反響波情報が、前記反響波表示用ウインドウに表示される反響波画像において、反響波表示用ウインドウ内の予め規定された基準ライン上に位置するように制御するとともに、
前記測定情報指定手段によって指定された前記反響波情報を測定した時の自船位置が、前記航跡表示用ウインドウに表示される航跡画像において、航跡表示用ウインドウ内の予め規定された原点に位置するように制御することを特徴とする魚群探知機。
【請求項２】
前記表示制御手段は、航跡表示用ウインドウの原点および反響波表示用ウインドウの基準ラインの位置を示す指標を表示画面に表示するよう制御することを特徴とする請求項１記載の魚群探知機。
【請求項３】
前記表示制御手段は、
測定情報記憶手段に記憶された全反響波情報の、どの範囲が反響波表示用ウインドウ内に表示されているかを示すための画像データを生成し、前記表示画面に反響波表示範囲画像として表示するよう制御するものであることを特徴とする請求項１又は請求項２に記載の魚群探知機。
【請求項４】
測定時刻と関連付けて記憶された自船位置情報と、地図情報とに基づいて、地図上に航跡を示すための画像データを作成し、該画像データに基づく航跡画像を前記表示画面の航跡表示用ウインドウに表示するとともに、測定時刻と関連付けて記憶された反響波情報を測定順に並べて示すための画像データを生成し、該画像データに基づく反響波画像を前記表示画面の反響波表示用ウインドウに表示し、
さらに、オペレータによって指定された一時点の反響波情報が、前記反響波画像において、前記反響波表示用ウインドウ内の予め規定された基準ライン上に位置するように制御するとともに、オペレータによって指定された前記反響波情報を測定した時の自船位置が、前記航跡画像において、前記航跡表示用ウインドウ内の予め規定された原点に位置するように制御することを特徴とする魚群探知機の測定情報表示方法。
【発明の詳細な説明】
【技術分野】
【０００１】
本発明は、測定した反響波情報と自船位置情報とを表示画面に同時に表示する魚群探知機に関する。
【背景技術】
【０００２】
超音波を送信し、その反響波によって魚群を探知する魚群探知機はよく知られている。最近の魚群探知機には、ＧＰＳ等の自船位置検出装置が組み込まれており、画像表示器の表示画面において、自船位置情報と反響波情報とを別々のウインドウ内に同時に表示できるようになっている（例えば、特許文献１）。
【０００３】
また、最近の魚群探知機では、記憶装置の大容量化・低廉化に伴って、測定した自船位置や反響波情報等の測定情報を多量に記憶保持可能となってきており、魚群探知機の表示画面に過去の測定情報を表示することによって、好適な魚群ポイントを検討できる機種が提案されている。
【０００４】
従来の魚群探知機における、過去の測定情報の一表示態様を図５に示す。図５では、矩形の表示画面１０ａに、航跡表示用ウインドウ２７ａと反響波表示用ウインドウ２８ａが上下に並べて表示されている。上側の航跡表示用ウインドウ２７ａには、周辺地図と、航跡を示す航跡ライン３５ａとからなる航跡画像２９ａが表示される。下側の反響波表示用ウインドウ２８ａには、可視化した反響波情報を、ウインドウ２８ａの幅方向に沿って測定した順番に並べてなる反響波画像３０ａが表示される。反響波画像３０ａでは、より新しい反響波情報が右側に、より古い反響波情報が左側に来るように表示される。縦軸は送波した超音波が反射した水深を示し、受波した反響波の強さが色や濃淡によって表される。反響波画像３０ａにおいて、幅方向に連続的に表示されている反響波は水底で反射した水底エコー３８ａであり、水底エコー３８ａの上方に塊状に表示されている反響波は魚群で反射した魚群エコー３７ａである。
【０００５】
また、航跡画像２９ａと反響波画像３０ａには、イベントマーク４０，４１が表示される。イベントマーク４０，４１は、過去のある時点の自船位置や反響波情報をマークするためのものであり、航跡画像２９ａの一時点の自船位置、又は反響波画像３０ａの一時点の反響波情報をオペレータが指定すると、航跡画像２９ａ及び反響波画像３０ａの対応する位置にイベントマーク４０，４１が入力される。図５では、航跡画像２９ａと反響波画像３０ａのイベントマーク４０，４１は、アルファベットが付された線分からなり、オペレータが反響波情報と当該反響波情報の測定位置（自船位置）とを対応付けできるよう、対応するイベントマーク４０，４１には同じアルファベットが付されている。
【０００６】
【特許文献１】特開平５−２２３９３４号公報
【発明の開示】
【発明が解決しようとする課題】
【０００７】
上述のように、従来の魚群探知機では、航跡画像２９ａと反響波画像３０ａに入力したイベントマーク４０，４１によって反響波情報と当該反響波情報の測定位置とを対応付けしているが、入力したイベントマーク４０，４１が多くなると、対応するイベントマーク４０，４１を見つけ難いという問題があった。また、航跡表示用ウインドウ２７ａに表示される航跡ライン３５ａの長さや、反響波表示用ウインドウ２８ａに表示される反響波情報の量は、ウインドウサイズや画像の縮尺によって変化するため、表示中の航跡画像２９ａと反響波画像３０ａのイベントマーク４０，４１が必ずしも一対一に対応しておらず、反響波情報と測定位置の対応付けができない場合がある。具体的には、図５中の航跡画像２９ａの「ｇ」，「ｈ」，「ｉ」の付されたイベントマーク４０は、反響波画像３０ａとの対応付けができない。
【０００８】
本発明はかかる問題の解決を試みたものであり、過去の反響波情報と自船位置との対応付けが容易な魚群探知機の提供を目的とする。
【課題を解決するための手段】
【０００９】
本発明は、表示画面を備えた画像表示器と、測定した反響波情報と自船位置情報とを、測定時刻と関連付けて記憶する測定情報記憶手段と、地図情報を記憶する地図情報記憶手段と、前記地図情報記憶手段に記憶された地図情報と、前記測定情報記憶手段に記憶された自船位置情報とに基づいて、地図上に航跡を示すための画像データを作成し、該画像データに基づく航跡画像を前記表示画面の航跡表示用ウインドウに表示するよう制御するとともに、測定情報記憶手段に記憶された反響波情報を測定順に並べて示すための画像データを生成し、該画像データに基づく反響波画像を前記表示画面の反響波表示用ウインドウに表示するよう制御する画像表示制御手段と、前記測定情報記憶手段に記憶された一時点の反響波情報を指定するための測定情報指定手段とを備えてなり、前記表示制御手段は、前記測定情報指定手段によって指定された時点の反響波情報が、前記反響波表示用ウインドウに表示される反響波画像において、反響波表示用ウインドウ内の予め規定された基準ライン上に位置するように制御するとともに、前記測定情報指定手段によって指定された前記反響波情報を測定した時の自船位置が、前記航跡表示用ウインドウに表示される航跡画像において、航跡表示用ウインドウ内の予め規定された原点に位置するように制御することを特徴とする魚群探知機である。
【００１０】
かかる構成によれば、表示画面に航跡表示用ウインドウと反響波表示用ウインドウが表示されている際に、オペレータが指定した時点の反響波情報が反響波表示用ウインドウの基準ラインに表示され、該反響波情報の測定時点の自船位置が航跡表示用ウインドウの原点に表示される。また、オペレータが別の時点の反響波情報を指定すれば、表示画面の航跡画像と反響波画像が更新されて、当該時点の反響波情報と自船位置とが反響波表示用ウインドウの基準ラインと航跡表示用ウインドウの原点に夫々表示されることとなる。このため、本発明の魚群探知機では、オペレータは、任意の時点の反響波情報を指定することによって、当該反響波情報と当該反響波を測定した自船位置位置とを容易に対応付けできる。特に、本構成では、反響波画像や航跡画像にイベントマークを入力することなく反響波情報と自船位置とを対応付けできるため、イベントマークを入力する手間が不要であり、また、反響波画像や航跡画像に入力された多数のイベントマークから、対応するイベントマークを探す手間も不要となる。
【００１１】
なお、本発明に係る表示制御手段は、航跡表示用ウインドウの原点および反響波表示用ウインドウの基準ラインの位置を示す指標を表示画面に表示するよう制御することが望ましい。かかる構成とすれば、オペレータが航跡表示用ウインドウの原点や反響波表示用ウインドウの基準ラインの位置を明確に視認できる。
【００１２】
本発明において、反響波情報は、測定時刻と関連付けられて記憶され、間接的には自船位置情報とも関連付けられている。このため、本発明に係る測定情報指定手段は多様な態様によって実現され得る。例えば、過去の時刻を入力することにより当該時刻に測定された反響波情報を指定する構成が考えられる。また、所定操作によって、現在の指定中の反響波情報よりも所定時間過去または未来に測定された反響波情報を指定する構成も考えられる。また、反響波表示用ウインドウに表示された反響波情報をポインティングデバイス等によって指定する構成も考えられる。さらには、ポインティングデバイス等によって航跡表示用ウインドウ中の過去の自船位置を指定することによって、該自船位置で測定した反響波情報を間接的に指定する構成も考えられる。
【００１３】
前記航跡表示用ウインドウの原点は、該ウインドウの中央や隅など自由に設定可能であるが、航跡表示用ウインドウの中央に設定することが望ましい。指定した時点の自船位置を最もよく把握できるためである。なお、かかる原点位置は、オペレータが設定変更できるようにしてもよい。
【００１４】
前記反響波表示用ウインドウの基準ラインは、ウインドウの中央を通過していることが望ましい。指定した反響波情報を中心にして、その前後に測定した反響波情報を好適に把握できるためである。なお、かかる基準ラインの位置は、オペレータが設定変更できるようにしてもよい。
【００１５】
また、本発明の魚群探知機において、表示制御手段は、測定情報記憶手段に記憶された全反響波情報の、どの範囲が反響波表示用ウインドウ内に表示されているかを示すための画像データを生成し、前記表示画面に反響波表示範囲画像として表示するよう制御するものである構成が提案される。かかる構成によれば、オペレータは、測定情報記憶手段に記憶された全反響波情報の、どの範囲が反響波表示用ウインドウに表示されているかを一目で把握できる。
【００１６】
また、本発明の別の態様は、測定時刻と関連付けて記憶された自船位置情報と、地図情報とに基づいて、地図上に航跡を示すための画像データを作成し、該画像データに基づく航跡画像を前記表示画面の航跡表示用ウインドウに表示するとともに、測定時刻と関連付けて記憶された反響波情報を測定順に並べて示すための画像データを生成し、該画像データに基づく反響波画像を前記表示画面の反響波表示用ウインドウに表示し、さらに、オペレータによって指定された一時点の反響波情報が、前記反響波画像において、前記反響波表示用ウインドウ内の予め規定された基準ライン上に位置するように制御するとともに、オペレータによって指定された前記反響波情報を測定した時の自船位置が、前記航跡画像において、前記航跡表示用ウインドウ内の予め規定された原点に位置するように制御することを特徴とする魚群探知機の測定情報表示方法である。かかる方法によれば、オペレータは、任意の時点の反響波情報を指定することによって、当該反響波情報と当該反響波を測定した自船位置位置とを容易に対応付けることが可能となり、イベントマークを入力する手間や、反響波画像や航跡画像に入力された多数のイベントマークから、対応するイベントマークを探す手間が不要となる。
【発明の効果】
【００１７】
以上に述べたように、本発明によれば、表示画面に表示された航跡画像や反響波画像にイベントマークを入力することなく、反響波情報と当該反響波情報の測定位置とを容易に対応付けできる。
【発明を実施するための最良の形態】
【００１８】
本発明の実施形態を、以下の実施例に従って説明する。
【００１９】
図１は、実施例の魚群探知機１の制御回路を示すブロック図である。魚群探知機１は、マイクロコンピュータからなる主制御部１１を備えている。この主制御部１１には、魚群探知機１の統括的な制御を処理実行するための中央処理装置（ＣＰＵ）１２が配設される。この中央処理装置１２には、測定情報を読み書きするための測定情報用メモリー（ＲＡＭ）１３が、データのやり取りを行うデータバス（図示省略）を介して接続されている。また、この中央処理装置１２には、地図情報が記憶された地図情報用メモリー（ＲＯＭ）１４が、データを読み書きするアドレスを指定するための情報を一方的に伝えるアドレスバス（図示省略）を介して接続されている。さらに、中央処理装置１２には、種々の制御を処理実行するためのプログラムが格納されるプログラム用メモリー（ＲＯＭ）１５も接続されている。また、主制御部１１には、計時装置１６が設けられており、この計時装置１６から中央処理装置１２へ随時時刻情報が出力される。
【００２０】
さらに、主制御部１１には、入力ポート（図示省略）及び出力ポート（図示省略）が設けられ、これらのポートを介して魚探用送受波装置２と自船位置検出装置３が接続される。
【００２１】
魚探用送受波装置２は、超音波を送受信する送受波部２０と、該送受波部２０と主制御部１１とを接続する送受波制御回路２１とから構成されており、主制御部１１から送受波制御回路２１へ所定のトリガー信号が出力されると、送受波部２０が所定波長の超音波パルスを水中に送波するようになっている。そして、水底や魚群に反射した反響波が送受波部２０で受波されると、送受波制御回路２１が、送受波部２０が受波した反響波の情報（受波タイミングや受波強度等）をデジタル信号に変換し、反響波情報として主制御部１１へ出力する。
【００２２】
自船位置検出装置３は、ＧＰＳアンテナ２３と、該ＧＰＳアンテナ２３と主制御部１１とを接続するＧＰＳ演算回路２４とにより構成されており、ＧＰＳアンテナ２３が受信した信号に基づいて、経度及び緯度で特定される自船の二次元絶対位置を検出し、検出した自船位置情報を主制御部１１の入力ポートへ出力する。
【００２３】
送受波制御回路２１から主制御部１１に反響波情報が入力されると、中央処理装置１２は、該反響波情報を、ＧＰＳ演算回路２４から出力された自船位置情報と、計時装置１６から出力された時刻情報と関連付けて、一セットの測定情報として測定情報用メモリー１３に記憶する。測定情報用メモリー１３は、約５時間分の測定情報を記憶可能な容量を有しており、測定情報は測定順に蓄積記憶される。測定情報が記憶容量を超えた場合には、古い測定情報が順次削除される。すなわち、本実施例においては、測定情報用メモリー１３が、本発明にかかる測定情報記憶手段を構成する。
【００２４】
地図情報用メモリー１４は地図情報記憶手段を構成するものであり、そこには、所要領域の二次元地図情報、または三次元地図情報がベクトルデータとして記憶される。
【００２５】
また、主制御部１１の入力ポートには、オペレータが種々の設定を入力するためのキー操作部２６が接続される。このキー操作部２６はポインティングデバイスや複数のボタンを備えており、オペレータは、これらを操作することによって、画像表示器９の表示モードや各種の表示設定等を変更できる。かかるキー操作部２６が、本発明における測定情報指定手段に該当する。
【００２６】
また、主制御部１１の入出力ポートには、表示制御回路１７が接続されており、該表示制御回路１７に、画像表示器９が接続される。画像表示器９は、縦長矩形状の表示画面１０（図２参照）を備えるものであり、ＴＦＴ、ＬＣＤ、又はＣＲＴ等によって構成される。
【００２７】
以上の構成によれば、中央処理装置１２が、測定情報用メモリー１３に記憶された測定情報と、地図情報用メモリー１４の地図情報とを随時読み出して、キー操作部２６の操作によって選択された表示モードや表示設定に基づいて種々の所要画像データを生成し、さらに生成した各画像データから表示画面情報を生成し、表示制御回路１７へと出力する。表示制御回路１７は、中央処理装置１２から表示画面情報を受け取ると、その表示画面情報を適正なビデオ信号に変換し、画像表示器９へと出力する。すなわち、本実施例では、これらの中央処理装置１２や表示制御回路１７によって、本発明における表示制御手段が構成される。
【００２８】
上述したように、本実施例の魚群探知機１は、様々な表示モードが設けられており、前記キー操作部２６の操作によって選択された表示モードに従った画像が、画像表示器９の表示画面１０に表示される。以下では、本発明の要部に係る、過去の測定情報を表示するための過去情報表示モードにおける表示態様を説明し、他の表示モードにおける表示態様の説明は省略する。
【００２９】
図２は、過去情報表示モードにおける、画像表示器９の表示画面１０の一表示例を示す。かかる表示例にあっては、矩形の表示画面１０には、航跡表示用ウインドウ２７と反響波表示用ウインドウ２８が上下に並べて表示されている。
【００３０】
上部の航跡表示用ウインドウ２７には航跡画像２９が表示される。航跡画像２９は、二次元地図上に航跡を示す航跡ライン３５をプロットしてなるものである。かかる航跡画像２９を表示するための画像データは、測定情報用メモリー１３に記憶された測定情報と、地図情報用メモリー１４の地図情報とを組み合わせることにより上記中央処理装置１２が生成するものであり、キー操作部２６の操作によって表示設定が変更されると随時更新される。また、本実施例にあっては、航跡表示用ウインドウ２７の中央部が該ウインドウ２７の原点に設定されており、航跡表示用ウインドウ２７には、原点位置を示す舟形の原点指標３４が表示される。なお、前記航跡ライン３５は、航跡表示用ウインドウ２７の原点を通過するよう表示されており、舟形の原点指標３４の舳先は自船の進行方向も示している。
【００３１】
下部の反響波表示用ウインドウ２８には反響波画像３０が表示される。反響波画像３０は、魚群エコー３７や水底エコー３８などの反響波情報を可視的に表示してなるものである。かかる反響波画像３０を表示するための画像データは、測定情報用メモリー１３に記憶された測定情報に基づいて上記中央処理装置１２が生成するものであり、キー操作部２６の操作によって表示設定が変更されると随時更新される。この反響波情報の表示態様は既存の魚群探知機と同様である。すなわち、反響波画像３０の横軸は測定順であり、より新しい反響波情報が右方に、より古い反響波情報が左方に位置するよう測定時間順に並べて表示される。反響波画像の縦軸は深さであり、受波した反響波が反射した深さを示す。反響波の強さは、色や濃淡などによって表される。また、本実施例にあっては、反響波表示用ウインドウ２８の左右の中心線が該ウインドウ２８の基準ラインに設定されており、反響波表示用ウインドウ２８には、縦線の上端に船形シンボルを付してなる基準ライン指標３６が表示され、基準ラインの位置を示している。
【００３２】
ここで、反響波画像３０は、キー操作部２６の操作によって指定された時点の反響波情報が反響波表示用ウインドウ２８の基準ライン上に位置するように表示される。一方、航跡画像２９では、基準ライン上に位置する前記反響波情報を測定した時点の自船位置が航跡表示用ウインドウ２７の原点に位置するように表示される。このため、オペレータは、航跡表示用ウインドウ２７の原点と反響波表示用ウインドウ２８の基準ラインとを見比べることによって、指定した時点の反響波情報と、その時の自船位置とを簡単に対応付けすることができる。
【００３３】
また、反響波表示用ウインドウ２８の中央下部には、測定情報用メモリー１３に記憶された全反響波情報の、どの範囲が反響波表示用ウインドウ２８に表示されているかを示す反響波表示範囲画像３１が表示されている。この反響波表示範囲画像３１では、図４に示すように、測定情報用メモリーに記憶された全反響波情報が長尺な矩形枠３２として示される。この矩形枠３２は、反響波画像３０と同様に、右方がより新しい反響波情報に対応し、左方がより古い反響波情報に対応している。そして、この矩形枠３２によって示される全反響波情報の中で、反響波表示用ウインドウ２８に表示中の部分が網掛け３３によって表示され、それ以外の部分は白抜きで表示される。したがって、オペレータは、かかる反響波表示範囲画像３１によって、反響波表示用ウインドウ２８にどの範囲の反響波情報が表示されているかを一目で把握できる。なお、かかる反響波表示範囲画像３１は、図４（ａ），（ｂ）に示すように、反響波画像３０が更新されるのに応じて変更される。
【００３４】
本実施例では、キー操作部２６において、所定の「巻き戻し操作」と「早送り操作」とを行うことにより、過去の一時点の反響波情報を指定することができる。巻き戻し操作を行うと現在の指定中の反響波情報よりも所定時間過去の時点の反響波情報が指定される。一方、早送り操作を行うと現在の指定中の反響波情報よりも、所定時間未来の時点の反響波情報が指定される。図２の表示画面１０において巻き戻し操作を繰り返すと、反響波画像３０が随時更新されて、反響波表示用ウインドウ２８内の反響波画像３０が右方向にスクロールするよう表示される。またこれと同時に、航跡画像２９が随時更新され、航跡表示用ウインドウ２７内の航跡画像２９は、原点上の航跡ライン３５に沿って右上方にスクロールするよう表示される。例えば、図２中のｐ部分の反響波情報を指定したい場合は、巻き戻し操作を繰り返して反響波画像３０を右方にスクロールさせていき、ｐ部分の反響波情報が基準ライン指標３６上にくるようにすればよい。この場合、航跡画像２９は、ｐ部分の反響波情報が測定された時点の自船位置ｑが原点にくるようスクロールし、表示画面１０には、図３に示す画像が表示されることとなる。
【００３５】
また、本実施例では、前記「巻き戻し操作」と「早送り操作」以外にも、表示画面１０上で過去の一時点の反響波情報を直接指定することができる。具体的には、キー操作部２６は、既知のポインティングデバイスを備えており、航跡画像２９中の過去の自船位置や、反響波画像３０中の反響波情報を、かかるポインティングデバイスで指定できるようになっている。例えば、図２中のｐ部分の反響波情報を、測定時点の自船位置と対応付けたい場合は、キー操作部２６のポインティングデバイスによって表示画面１０のｐ部分の反響波情報を指定すればよい。そうすれば、図３に示すように、反響波画像３０が更新されてｐ部分の反響波情報が基準ライン指標３６上に表示され、同時に、航跡画像２９も更新されて該反響波情報測定時の自船位置ｑが原点に表示されることとなる。なお、本実施例では、ポインティングデバイスで表示画面１０上の自船位置ｑを指定することによっても、該自船位置ｑで測定したｐ部分の反響波情報を指定できるようになっている。
【００３６】
以上のように、本実施例の魚群探知機１では、キー操作部２６によって、過去の一時点の反響波情報を指定するだけで、該反響波情報とその測定位置（自船位置）とを対応付けできる。したがって、本構成では、航跡画像２９や反響波画像３０にむやみにイベントマークを入力する必要がない。また、従来構成では、所要の反響波情報の測定位置を確認する際に、航跡画像と反響波画像に入力された多数のイベントマークから対応するイベントマークを探し出さなくてはならないが、本実施例の構成では、所要の反響波情報を指定するだけで、当該反響波情報と測定位置が、反響波表示用ウインドウ２８の基準ラインと航跡表示用ウインドウ２７の原点に表示されるため、オペレータは、従来よりも簡単に反響波情報と、その測定時の自船位置とを把握することができる。
【００３７】
なお、本発明の魚群探知機は、上記実施例の構成に限らず本発明の要旨を逸脱しない範囲内において種々変更を加えることができる。例えば、実施例中の過去情報表示モードでは、表示画面１０に過去の自船位置と反響波情報しか表示されていないが、これらと同時に、指定した反響波情報を測定した時刻、その時の水温、自船の速度、緯度経度などを表示することもできる。
【００３８】
また、実施例では、航跡画像２９や反響波画像３０にイベントマークを入力していないが、本発明は、イベントマークの使用を排除するものではなく、イベントマークを入力するタイプの魚群探知機にも適用できる。
【００３９】
また、実施例では、魚探用送受波装置及び自船位置検出装置が組み込まれた魚群探知機を示したが、本発明は、魚探用送受波装置及び自船位置検出装置を外部機器として備える魚群探知機にも適用できる。
【００４０】
また、実施例中の過去情報表示モードでは、表示画面１０に航跡表示用ウインドウ２７と反響波表示用ウインドウ２８が上下に表示されるのみであったが、本発明においては、過去の測定情報を表示する際に三以上のウインドウを表示してもよいし、それらのウインドウの配置態様も自由に変更できる。
【００４１】
また、実施例では、航跡表示用ウインドウ２７の中央部が該ウインドウ２７の原点に、反響波表示用ウインドウ２８の左右の中心線が該ウインドウ２８の基準ラインに設定されているが、本発明は、原点や基準ラインがかかる位置に固定されたものに限らず、原点や基準ラインの位置をオペレータが設定変更可能なものを含む。
【図面の簡単な説明】
【００４２】
【図１】魚群探知機１の制御回路を示すブロック図である。
【図２】表示画面１０の一表示例である。
【図３】表示画面１０の別の表示例である。
【図４】反響波表示範囲画像３１の拡大図であり、（ａ）は図２の反響波表示範囲画像３１を、（ｂ）は図３の反響波表示範囲画像３１を示している。
【図５】従来の魚群探知機における表示画面１０ａの表示例である。
【符号の説明】
【００４３】
１  魚群探知機
２  魚探用送受波装置
３  自船位置検出装置
９  画像表示器
１０，１０ａ  表示画面
２７，２７ａ  航跡表示用ウインドウ
２８，２８ａ  反響波表示用ウインドウ
２９，２９ａ  航跡画像
３０，３０ａ  反響波画像
３４  原点指標
３５，３５ａ  航跡ライン
３６  基準ライン指標
３７，３７ａ  魚群エコー
３８，３８ａ  水底エコー
４０  イベントマーク
４１  イベントマーク
【図１】
2008224501.tif 000003
【図２】
2008224501.tif 000004
【図３】
2008224501.tif 000005
【図４】
2008224501.tif 000006
【図５】
2008224501.tif 000007